(57)【要約】【課題】  侵入者による機器破壊などの異常発生時に、異常発生前後の詳細な映像を撮像することができる。【解決手段】  監視カメラ１００，１０１が複数台で互いにネットワーク接続された監視カメラシステムを構成する工程と、１または複数台の監視カメラが周辺の監視カメラを探索するカメラ探索工程と、監視カメラがカメラ探索工程により発見した周辺の監視カメラと通信装置によって通信するネットワーク通信工程と、監視カメラがカメラ探索工程において探索不可のとき、動画像または静止画像を監視カメラの内部のデータ記憶装置に記録するデータ記憶工程とを含む。これにより監視カメラが異常発生を検知すると、近隣にある監視カメラを探索し、発見した監視カメラを経由して撮影した動画像を外部ネットワークへ伝送する。【選択図】  図１
2007072644.tif 000002
【特許請求の範囲】
【請求項１】
動画像または静止画像を撮像する画像撮影装置と、外部機器との通信を行う通信装置と、撮影データを保存するデータ記憶装置とを具備した監視カメラが複数台で互いにネットワーク接続された監視カメラシステムを構成する工程と、
１または複数台の前記監視カメラが周辺の監視カメラを探索するカメラ探索工程と、
前記監視カメラが前記カメラ探索工程により発見した前記周辺の監視カメラと前記通信装置によって通信するネットワーク通信工程と、
前記監視カメラが前記カメラ探索工程において探索不可のとき、動画像または静止画像を前記監視カメラの内部の前記データ記憶装置に記録するデータ記憶工程とを含むカメラの監視方法。
【請求項２】
前記監視カメラは、前記監視カメラへの外部からの衝撃を検知する衝撃検知手段をさらに具備し、前記衝撃検知手段によって衝撃を検知したときに、前記ネットワーク通信工程によって、衝撃を検知した前記監視カメラが撮像する動画像および静止画像を、前記カメラ探索工程によって探索した前記周辺の監視カメラへ通信することを特徴とする請求項１記載のカメラの監視方法。
【請求項３】
前記通信装置は、有線通信装置と無線通信装置とからなり、前記有線通信装置により複数台の前記監視カメラが通信し合う前記ネットワーク通信工程において、何らかの異常により通信できない状況が発生したとき、前記有線通信装置の代わりに前記無線通信装置を使用して前記ネットワーク通信工程を実施することを特徴とする請求項１または２記載のカメラの監視方法。
【請求項４】
前記衝撃検知手段で前記監視カメラへの衝撃を検知するなど何らかの異常が発生したとき、異常が発生した前記監視カメラ付近の映像を前記周辺の監視カメラが撮像し、前記監視カメラ同士が前記ネットワーク通信工程により、位置データおよび動画像あるいは静止画像を含む情報を通信し合いながら撮像することを特徴とする請求項２または３記載のカメラの監視方法。
【請求項５】
前記監視カメラは、人間の存在を検知する人感装置によって侵入者などの人物を検知する人感手段をさらに具備し、前記人感手段により人物を検知したとき、前記監視カメラと前記周辺の監視カメラが前記ネットワーク通信工程により、位置データおよび動画像あるいは静止画像を含む情報を通信し合いながら撮像することを特徴とする請求項１，２，３または４記載のカメラの監視方法。
【請求項６】
前記監視カメラが監視している監視対象物からの異常発生通知を、前記通信装置で受信する監視対象物異常受信工程を含み、前記監視対象物に何らかの異常が発生したときに、前記監視対象物からの異常発生発信を前記監視カメラが受信することを特徴とする請求項１，２，３，４または５記載のカメラの監視方法。
【請求項７】
前記監視カメラと前記周辺の監視カメラどうしで通信される動画像あるいは静止画像は、前記データ記憶工程によって記録される画像データ中で異常発生以前の画像データと、異常が発生した前記監視カメラがその時点で撮像し続けている画像データとから成ることを特徴とする請求項１，２，３，４，５または６記載のカメラの監視方法。
【発明の詳細な説明】
【技術分野】
【０００１】
本発明は、建造物等への不審者の侵入で何らかの異常が発生した場合、異常発生現場の映像を連続的かつ適時的に撮像し、外部ネットワークへ送信するためのカメラの監視方法に関する。
【背景技術】
【０００２】
従来から、複数台の監視カメラをネットワーク接続し、個々の映像を撮像する監視カメラシステムがある。
【０００３】
この監視カメラシステムが動作する現場において、不審者が侵入（以降では侵入者と記す）して、場合によっては侵入者が監視カメラの存在に気付き、映像の流出を恐れて監視カメラを破壊する、あるいは監視カメラに接続されている映像通信用のＬＡＮ（Ｌｏｃａｌ  Ａｒｅａ  Ｎｅｔｗｏｒｋ）ケーブルを切断する等の事態が発生しかねない。
【０００４】
そこで、従来より、監視カメラの撮影映像を、監視カメラ内蔵の記憶媒体に記録する方式を採用する中で、同一ネットワークに接続する複数の監視カメラに撮影映像を送信し、その監視カメラ内蔵の記憶媒体に保存しておくことで、ある1台の監視カメラが破壊されたとしても、他の監視カメラに内蔵の記憶媒体から、破壊された監視カメラの撮影映像を入手することが可能となる（例えば、特許文献１参照）。
【特許文献１】特開２００３−３１７１７２号公報
【発明の開示】
【発明が解決しようとする課題】
【０００５】
監視カメラシステムは、侵入者による機器破壊などの異常発生時にこそ、異常発生前後の詳細な映像を撮像することが要求される。
【０００６】
しかるに従来の技術においては、このような異常発生時における対応が不十分な点がある。例えば侵入者が侵入直後に、アクセスポイントに接続された外部ネットワークへの接続線を切断することにより、外部ネットワークへの接続が遮断される、あるいは侵入者が全ての監視カメラを奪っていく、あるいは侵入者が全ての監視カメラを破壊し、その衝撃で記憶媒体が復旧不可能な程度まで破壊されると、肝心の撮影映像が入手できない。
【０００７】
さらには、ある監視カメラが破壊される等の異常が発生した場合、他の監視カメラが異常を検知できず、肝心の映像をより詳細に撮像することができない。
【０００８】
さらには、監視カメラによる監視対象物が持ち出されるなどの異常が発生する、且つ、監視カメラが侵入者を検知できなかった場合、監視カメラは異常を検知できない状況が発生する。
【０００９】
したがって、本発明の目的は、侵入者による機器破壊などの異常発生時に、異常発生前後の詳細な映像を撮像することができるカメラの監視方法を提供することである。
【課題を解決するための手段】
【００１０】
上記課題を解決するために、本発明の請求項１記載のカメラの監視方法は、動画像または静止画像を撮像する画像撮影装置と、外部機器との通信を行う通信装置と、撮影データを保存するデータ記憶装置とを具備した監視カメラが複数台で互いにネットワーク接続された監視カメラシステムを構成する工程と、１または複数台の前記監視カメラが周辺の監視カメラを探索するカメラ探索工程と、前記監視カメラが前記カメラ探索工程により発見した前記周辺の監視カメラと前記通信装置によって通信するネットワーク通信工程と、前記監視カメラが前記カメラ探索工程において探索不可のとき、動画像または静止画像を前記監視カメラの内部の前記データ記憶装置に記録するデータ記憶工程とを含む。
【００１１】
請求項２記載のカメラの監視方法は、請求項１記載のカメラの監視方法であって、前記監視カメラは、前記監視カメラへの外部からの衝撃を検知する衝撃検知手段をさらに具備し、前記衝撃検知手段によって衝撃を検知したときに、前記ネットワーク通信工程によって、衝撃を検知した前記監視カメラが撮像する動画像および静止画像を、前記カメラ探索工程によって探索した前記周辺の監視カメラへ通信する。
【００１２】
請求項３記載のカメラの監視方法は、請求項１または２記載のカメラの監視方法であって、前記通信装置は、有線通信装置と無線通信装置とからなり、前記有線通信装置により複数台の前記監視カメラが通信し合う前記ネットワーク通信工程において、何らかの異常により通信できない状況が発生したとき、前記有線通信装置の代わりに前記無線通信装置を使用して前記ネットワーク通信工程を実施する。
【００１３】
請求項４記載のカメラの監視方法は、請求項２または３記載のカメラの監視方法であって、前記衝撃検知手段で前記監視カメラへの衝撃を検知するなど何らかの異常が発生したとき、異常が発生した前記監視カメラ付近の映像を前記周辺の監視カメラが撮像し、前記監視カメラ同士が前記ネットワーク通信工程により、位置データおよび動画像あるいは静止画像を含む情報を通信し合いながら撮像する。
【００１４】
請求項５記載のカメラの監視方法は、請求項１，２，３または４記載のカメラの監視方法であって、前記監視カメラは、人間の存在を検知する人感装置によって侵入者などの人物を検知する人感手段をさらに具備し、前記人感手段により人物を検知したとき、前記監視カメラと前記周辺の監視カメラが前記ネットワーク通信工程により、位置データおよび動画像あるいは静止画像を含む情報を通信し合いながら撮像する。
【００１５】
請求項６記載のカメラの監視方法は、請求項１，２，３，４または５記載のカメラの監視方法であって、前記監視カメラが監視している監視対象物からの異常発生通知を、前記通信装置で受信する監視対象物異常受信工程を含み、前記監視対象物に何らかの異常が発生したときに、前記監視対象物からの異常発生発信を前記監視カメラが受信する。
【００１６】
請求項７記載のカメラの監視方法は、請求項１，２，３，４，５または６記載のカメラの監視方法であって、前記監視カメラと前記周辺の監視カメラどうしで通信される動画像あるいは静止画像は、前記データ記憶工程によって記録される画像データ中で異常発生以前の画像データと、異常が発生した前記監視カメラがその時点で撮像し続けている画像データとから成る。
【発明の効果】
【００１７】
本発明の請求項１記載のカメラの監視方法によれば、１または複数台の監視カメラが周辺の監視カメラを探索するカメラ探索工程と、監視カメラがカメラ探索工程により発見した周辺の監視カメラと通信装置によって通信するネットワーク通信工程とを行うので、侵入者により外部ネットワークへの経路が切断されるなどの異常発生時でも、近隣の監視カメラとの連携により、異常発生前後の動画像または静止画像データを外部ネットワークへ通信することができ、所望の映像が欠落することを防ぐと共に、異常発生時の映像をリアルタイムに取得することが可能となる。また、カメラ探索工程で探索に失敗した場合は、データ記憶工程により監視カメラのデータ記憶装置に動画像または静止画像データを格納することができる。
【００１８】
請求項２では、監視カメラは、監視カメラへの外部からの衝撃を検知する衝撃検知手段をさらに具備し、衝撃検知手段によって衝撃を検知したときに、ネットワーク通信工程によって、衝撃を検知した監視カメラが撮像する動画像および静止画像を、カメラ探索工程によって探索した周辺の監視カメラへ通信するので、監視カメラが破壊されたりした場合でも、監視カメラの撮像する動画像または静止画像データを周辺の監視カメラによって外部ネットワークへ通信することができる。
【００１９】
請求項３では、通信装置は、有線通信装置と無線通信装置とからなり、有線通信装置により複数台の監視カメラが通信し合うネットワーク通信工程において、何らかの異常により通信できない状況が発生したとき、有線通信装置の代わりに無線通信装置を使用してネットワーク通信工程を実施するので、通常は有線通信装置を用いて通信し、有線通信装置が異常で通信できないときは無線通信装置を用いて通信することができる。
【００２０】
請求項４では、衝撃検知手段で監視カメラへの衝撃を検知するなど何らかの異常が発生したとき、異常が発生した監視カメラ付近の映像を周辺の監視カメラが撮像し、監視カメラ同士がネットワーク通信工程により、位置データおよび動画像あるいは静止画像を含む情報を通信し合いながら撮像するので、侵入者により監視カメラが破壊されたり、外部へのネットワーク線が切断されたりした場合に、監視カメラ同士が通信し合って協調動作することにより、全体領域をカバーしながら撮像することが可能となる。
【００２１】
請求項５では、監視カメラは、人間の存在を検知する人感装置によって侵入者などの人物を検知する人感手段をさらに具備し、人感手段により人物を検知したとき、監視カメラと周辺の監視カメラがネットワーク通信工程により、位置データおよび動画像あるいは静止画像を含む情報を通信し合いながら撮像するので、侵入者の存在を検知して侵入者の位置を座標情報として通信し合って協調動作することにより、侵入者のより詳細な映像を撮像することが可能となる。
【００２２】
請求項６では、監視カメラが監視している監視対象物からの異常発生通知を、通信装置で受信する監視対象物異常受信工程を含み、監視対象物に何らかの異常が発生したときに、監視対象物からの異常発生発信を監視カメラが受信するので、監視対象物と監視カメラの連携により、監視対象物からの異常発信を監視カメラが受け取り、外部ネットワークへ異常通知と共に詳細な撮像画像を伝送することが可能となる。
【００２３】
請求項７では、監視カメラと周辺の監視カメラどうしで通信される動画像あるいは静止画像は、データ記憶工程によって記録される画像データ中で異常発生以前の画像データと、異常が発生した監視カメラがその時点で撮像し続けている画像データとから成るので、周辺の監視カメラへ送信するデータが、異常発生前後の映像が含まれており、且つ異常発生前後の空白時間をほぼゼロにすることが可能であり、異常発生前後の連続的かつ適時的な動画像データを入手することができる。
【００２４】
以上のように本発明のカメラの監視方法により、侵入者による異常が発生した場合の情報が欠落することなく入手できると同時に、侵入者のより詳細な映像を撮像および入手することができるため、セキュリティ性を向上させることが可能となる。
【発明を実施するための最良の形態】
【００２５】
以下、本発明の実施の形態を示すカメラの監視方法について、図面を参照しながら具体的に説明する。
（実施の形態１）
本発明の実施の形態１について、図１〜図３に基づいて説明する。
【００２６】
図１は、本発明の実施の形態１に係わる監視カメラシステムおよび周辺装置の構成を示す図である。
【００２７】
図１に示すように、監視カメラ１００は、接続回線１１０でアクセスポイント１２０と接続され、監視カメラ１００の撮像した動画像は接続回線１１０で接続されたアクセスポイント１２０を経由して通信回線１３０を通過し、外部ネットワークに接続された警備会社などのサーバ端末１４０に送信される。
【００２８】
監視カメラ１００は、近隣の監視カメラ１０１と通信し合い、監視カメラ同士でネットワークを構築出来る。ここでは監視カメラを2台で想定しているが、それ以上の複数の監視カメラで構成されても良い。また、監視カメラ１００は、監視対象物１５０を撮像するか、特定の監視対象物１５０以外の範囲を撮像する。
【００２９】
図２は、本発明の実施の形態１に係わる監視カメラ構成を示す図である。
【００３０】
図２に示すように、監視カメラは動画像を撮像する画像撮影装置１００１と、外部ネットワークへ連絡、あるいは動画像データを出力するためにアクセスポイントと通信を行う有線通信装置１００２と、複数の監視カメラと無線通信を行う無線通信装置１００３と、監視カメラへの衝撃を検知する衝撃検知装置１００４と、監視カメラへの電源供給を行う電源供給線１００５と、外部からの電源供給が断たれた場合に動作を可能とするため、電源供給線１００５から蓄電を行う蓄電装置１００６と、監視カメラの撮影データを保存するデータ記憶装置１００７とから構成される。
【００３１】
ここで、監視カメラ１００が異常を検知した後、有線通信装置１００２により、近隣にある監視カメラを探索する。探索により発見した監視カメラ１０１に対し、監視カメラ１００は撮像した動画像データを、有線通信装置１００２を経由して監視カメラ１０１へ通信する。監視カメラ１０１は、監視カメラ１００からの動画像データを、接続回線１１０で接続されたアクセスポイント１２０を経由して通信回線１３０を通過し、サーバ端末１４０へ異常通知と共に送信する。なお、動画像データを静止画像データとしてもよい。
【００３２】
また、電源供給線１００５における電源供給が断たれた場合は、蓄電装置１００６からの電源供給がある限り、監視カメラは動作する。また、有線通信装置１００２が何らかの異常で通信できない場合は、無線通信装置１００３を用いて通信することができる。
【００３３】
以上に説明した、本実施形態における監視カメラの探索による監視方法を示すフローチャートを図３に示す。
【００３４】
まず、衝撃検知工程Ｓ１０１により監視カメラ１００が衝撃発生を検知する。この場合、カメラへの衝撃が加わったことを衝撃検知装置１００４が検知する。
【００３５】
次に、カメラ探索工程Ｓ１０２により、近隣にある監視カメラを探索する。この場合、有線通信装置１００２あるいは無線通信装置１００３を経由し各監視カメラへブロードキャストパケットを送信し、応答のあった場合に監視カメラを発見できたとする、などの手段がある。
【００３６】
上記カメラ探索工程Ｓ１０２の結果、カメラ探索判定Ｓ１０３によって探索の成否を判別し、探索に成功した場合（監視カメラ１０１が発見できた場合）、監視カメラ１００の動画像データを、ネットワーク通信工程Ｓ１０４により、監視カメラ１０１に対して送信する。
【００３７】
そして、監視カメラ１０１は送信された動画像データを外部ネットワークへ通信する。なお、Ｓ１０３で探索に失敗した場合は、データ記憶工程Ｓ１０５により監視カメラ１００のデータ記憶装置１００７に動画像データを格納し続ける。
【００３８】
以上、上記実施形態によれば、監視カメラ１００が破壊されたりした場合でも、監視カメラ１００の撮像する動画像データを監視カメラ１０１によって外部ネットワークへ通信し、サーバ端末１４０へ通信することができる。
（実施の形態２）
本発明の実施の形態２について、図４および図５に基づいて説明する。図４は本発明の実施の形態２に係わる異常発生時に通信する動画像データを示す図、図５は本発明の実施の形態２に係わる動画像データ２００の構成方法を示す図である。なお、監視カメラシステムおよび周辺装置の構成、および監視カメラ構成は、それぞれ実施の形態１の図１および図２と同様である。
【００３９】
ここで、上記実施の形態１のデータ記憶工程Ｓ１０５での記録方法について説明する。監視カメラシステムにおいて異常が全く発生していない間は、データ記憶装置１００７には監視カメラの撮影映像が記録され続けるものとする。
【００４０】
この場合、データ記憶装置１００７は有限の記憶領域であるため、データ記憶装置１００７の記憶領域の終端まで記録されたら、記憶領域の先頭に戻って記録を続けるものとする。上記の方法によると、過去のデータが上書きされることとなるが、必要度が大きいのは異常が発生した直前の映像であるため、異常が全く発生していない間の映像を上書きしても大きな支障はないものとする。
【００４１】
本実施形態では、実施の形態１で説明したように監視カメラ１００に何らかの異常が発生した場合に近隣の監視カメラ１０１へ動画像データを通信するが、その通信する動画像データは、データ記憶装置１００７に記録されている異常発生前の数秒あるいは数分の動画像データと、監視カメラ１００が異常が発生した時点で撮像し続けている動画像データとから成る。
【００４２】
以上で説明した、異常発生時に通信する動画像データ２０は、図４に示すように、データ記憶装置１００７に記録されている異常発生前の動画像データ２００と、監視カメラ１００がその時点で撮像し続けている動画像データ２０１とから構成される。Ａは１回の通信におけるデータを通信単位で表している。
【００４３】
また、動画像データ２００の構成方法を図５に示す。図５において、データ記憶装置１００７はＳ点からＥ点までが記録可能な領域である。ここで、図５中のＤ点にて異常が発生した場合、予め設定された時間Ｔの大きさでデータ記憶装置１００７を遡り、その時間Ｔ１からＤ点までのデータを、動画像２００として送信する。
【００４４】
以上、上記実施形態によれば、近隣の監視カメラ１０１へ送信するデータが、異常発生前後の映像が含まれており、且つ、異常発生前後の空白時間をほぼゼロにすることが可能であり、異常発生前後の連続的かつ適時的な動画像データを入手することができる。
（実施の形態３）
本発明の実施の形態３について、図６〜図８に基づいて説明する。図６は本発明の実施の形態３に係わる監視カメラ同士の情報通信を示す図、図７は本発明の実施の形態３に係わる監視カメラ同士で通信し合う情報Ｔ１の例を示す図、図８は本発明の実施の形態３に係わる人感装置を実装した監視カメラ構成を示す図である。なお、監視カメラシステムおよび周辺装置の構成、および監視カメラ構成は、それぞれ実施の形態１の図１および図２と同様である。
【００４５】
図６において、監視カメラ１００に何らかの異常が発生した場合、監視カメラ１００は近隣の監視カメラ１０１あるいは監視カメラ１０２へ無線通信装置１００３を通じて情報Ｔ１を通信し合う。
【００４６】
ここで、上記の監視カメラ同士で通信し合う情報Ｔ１の例を図７に示す。情報Ｔ１には、情報発信元である情報発信カメラ情報Ｔ１ａと、異常発生カメラ情報Ｔ１ｂと、異常発生カメラの撮像範囲である座標情報Ｔ１ｃと、情報発信カメラ情報Ｔ１ａが撮像していく監視カメラの撮像範囲Ｔ１ｄとで構成される。
【００４７】
図７（ａ）は、監視カメラ１００から監視カメラ１０１へ通信する情報Ｔ１（ａ）を示している。ここで、情報発信元は監視カメラ１００なので、情報発信カメラ情報Ｔ１ａには１００を入力する。また、異常が発生した監視カメラは同じく１００なので、異常発生カメラ情報Ｔ１ｂにも１００を入力する。また、異常が発生した監視カメラ１００の撮像範囲を座標情報Ｔ１ｃに入力するが、ここでは例として（０，０）〜（５０，５０）としておく。また、監視カメラ１００には何か異常が発生したため、撮像範囲Ｔ１ｄには（０，０）〜（０，０）を入力する。
【００４８】
上記図７（ａ）の情報を受けた監視カメラ１０１は、監視カメラ１００の異常発生を確認することができる。そして、監視カメラ１０２に対し図７（ｂ）の情報を通信する。
【００４９】
ここで、異常が発生した監視カメラ１００の撮像範囲をカバーするため、撮像範囲Ｔ１ｄには監視カメラの撮像範囲（０，０）〜（５０，５０）を入力し、監視カメラ１０１はその撮像範囲にカメラの方向を切り替える。
【００５０】
上記図７（ｂ）の情報を受けた監視カメラ１０２は、監視カメラ１０１が監視カメラ１００の撮像範囲を撮像していることを認識する。監視カメラ１０２は、監視カメラ１０１の撮像範囲が空いているので、その範囲をカバーするため、監視カメラ１０１および監視カメラ１０２の撮像範囲の両方を撮像する。
【００５１】
この場合は、監視カメラ１０２が上下左右に動いて回転するなどの方法で、複数の撮像範囲を撮像する。
【００５２】
監視カメラ１０２からの情報は、異常が発生していない監視カメラ１０１に対して通信され、監視カメラ１０１は監視カメラ１０２の撮像状態を認識することができ、これにより監視カメラ同士の協調動作を実現できる。
【００５３】
なお、上記では、異常が発生した監視カメラの撮像範囲を、1台の監視カメラだけで補う方法を示したが、複数台の監視カメラで補っても良い。
【００５４】
上記に加えて、図８に示すように人感装置１００８を監視カメラに実装した場合、人物の存在を検知する人感装置１０８により、異常が発生した監視カメラ１００以外の監視カメラ１０１および監視カメラ１０２が、人感手段によって侵入者を検知することにより、監視カメラ１０１および監視カメラ１０２は、侵入者の座標範囲を相互に通信し合い、侵入者にカメラの焦点を当てる、あるいは撮像の倍率を上げて鮮明にすることで、侵入者のより詳細な動画像を撮像することが可能となる。
【００５５】
以上、上記実施形態によれば、監視カメラ１００に何らかの異常が発生した場合に、近隣の監視カメラ１０１あるいは監視カメラ１０２の協調動作により、監視カメラ１００の撮像範囲をカバーすることができると共に、全体の撮像範囲を補うことが可能となる。さらに、侵入者を検知した場合、侵入者の位置を特定してより詳細な動画像を撮像することができる。
（実施の形態４）
本発明の実施の形態４について、図９に基づいて説明する。図９は本発明の実施形態に係わる監視カメラと監視対象物との構成を示す図である。なお、監視カメラシステムおよび周辺装置の構成、および監視カメラ構成は、それぞれ実施の形態１の図１および図２と同様である。
【００５６】
図９に示すように、監視対象物１５０には、異常発生時に監視カメラ１００へ異常を発信するための発信装置３１が、監視対象物１５０の内部および外部側面に装着されるものとする。監視対象物１５０と監視カメラ１００とは、発信回線４０により通信を行う。
【００５７】
ここで言う監視対象物とは、例えば美術館の高価な展示物や、駐車場に駐車している車など、幅広い物品を想定している。ここで、監視対象物１５０に何らかの異常が発生した場合、監視対象物異常受信工程により発信装置４０から監視カメラ１００へ異常発生を通信する。
【００５８】
監視カメラ１００は、上記実施の形態１から３いずれかの方法と同様の方法で動画像を撮像し、外部ネットワークへ通信する。
【００５９】
以上、上記実施形態によれば、監視対象物１５０と監視カメラ１００とが通信できることにより、監視対象物１５０に何らかの異常が発生した場合に、監視カメラ１００はただ撮像しているだけでなく詳細な動画像を撮像し、且つ、リアルタイムに外部ネットワークへ通信することができる。また、特別な装置を新たに設置することなく、既存の監視カメラを用いて実現できる。
【産業上の利用可能性】
【００６０】
本発明に係るカメラの監視方法は、企業の研究開発棟などにおける実用、あるいは屋外の夜間監視カメラ・駐車場監視カメラなど、幅広い領域で有用である。
【図面の簡単な説明】
【００６１】
【図１】本発明の実施形態１，２，３，４に係わる監視カメラシステムおよび周辺装置構成を示す図である。
【図２】本発明の実施形態１，２，３，４に係わる監視カメラ構成を示す図である。
【図３】本発明の実施形態１に係わる監視カメラの探索による監視方法を示すフローチャートである。
【図４】本発明の実施の形態２に係わる異常発生時に通信する動画像データを示す図である。
【図５】本発明の実施の形態２に係わる動画像データの構成方法を示す図である。
【図６】本発明の実施の形態３に係わる監視カメラ同士の情報通信を示す図である。
【図７】本発明の実施の形態３に係わる監視カメラ同士で通信し合う情報Ｔ１の例を示す図である。
【図８】本発明の実施の形態３に係わる人感装置を実装した監視カメラ構成を示す図である。
【図９】本発明の実施の形態４に係わる監視カメラと監視対象物との構成を示す図である。
【符号の説明】
【００６２】
１００  監視カメラ
１１０  接続回線
１２０  アクセスポイント
１３０  通信回線
１４０  サーバ端末
１００１  画像撮影装置
１００２  有線通信装置
１００３  無線通信装置
１００４  衝撃検知装置
１００５  電源供給線
１００６  蓄電装置
１００７  データ記憶装置
１００８  人感装置
【図１】
2007072644.tif 000003
【図２】
2007072644.tif 000004
【図３】
2007072644.tif 000005
【図４】
2007072644.tif 000006
【図５】
2007072644.tif 000007
【図６】
2007072644.tif 000008
【図７】
2007072644.tif 000009
【図８】
2007072644.tif 000010
【図９】
2007072644.tif 000011